(57)【特許請求の範囲】
【請求項１】
エレベータのかご内にマイナスイオンを放出するマイナスイオン発生手段と、
かご呼び及び乗場呼びを登録する呼び登録手段と、
該呼び登録手段に登録された全ての階へのかごのサービスの完了を判定するサービス完了判定手段と、
かごの移動速度の低下を指示するかご速度低下指示手段と、
エレベータの運行を制御する制御手段と、
を備え、
前記制御手段は、
前記かご速度低下指示手段によるかごの移動速度の低下指示に基づいて前記かごの速度を低下して運転させるとともに、前記呼び登録手段の登録による前記マイナスイオン発生手段のマイナスイオンの放出を前記サービス完了判定手段によるサービスが完了したとの判定により終了する
ことを特徴とするエレベータ装置。
【請求項２】
更に前記マイナスイオン放出の停止を指示するかご内マイナスイオン不要指示手段を備え、
前記制御手段は、前記かご内マイナスイオン不要指示手段による前記マイナスイオン放出の停止指示により前記マイナスイオン放出を停止させる
ことを特徴とする請求項１に記載のエレベータ装置。
【請求項３】
エレベータのかご内にマイナスイオンを放出するエレベータ運転方法において、
かご呼び及び乗場呼びを登録する呼び登録ステップと、
該呼び登録ステップに基づいてマイナスイオンを放出するマイナスイオン放出ステップと、
かごの移動速度の低下を指示するかご速度低下指示ステップと、
該かご速度低下指示ステップにより前記かごの速度を低下して運転させる低速度運転ステップと、
前記呼び登録ステップによる登録された全ての階へのかごのサービスが完了した事を判定するサービス完了判定ステップと、
該サービス完了判定ステップによりサービスが完了したとの判定によりかご内にマイナスイオンの放出を終了するマイナスイオン放出停止ステップと、
を備えたことを特徴とするエレベータ運転方法。
【発明の詳細な説明】
【０００１】
【発明の属する技術分野】
この発明は、かご又は乗場にマイナスイオン発生手段を備えたエレベータ装置及びエレベータの運転方法に関するものである。
【０００２】
【従来の技術】
従来、この種のエレベータ装置は、例えば、実公昭４８−７０１号公報に開示されたものがある。同実公昭４８−７０１号公報におけるエレベータ装置は、かごの天井上部にイオン発生器を取付け、このイオン発生器とかごに設けた吹出し口とを管で連結し、イオン発生器で発生したイオンを上記の管を介してかご内に送り込むように構成している。このようにイオン発生器をかごの天井上部に設けたことにより、イオン発生器がかご内に突出しなくなり、乗客の邪魔にはならないというものである。
【０００３】
【発明が解決しようとする課題】
従来の実公昭４８−７０１号公報におけるエレベータ装置は、イオン発生器（又は本発明におけるマイナスイオン発生器）が常に動作状態とされるものであり、このため無駄な使用電力が発生するので不経済となるという課題があった。また、イオンを好まない利用者にとってイオン又はマイナスイオンが発生状態にあった場合には不快を感じるという課題があった。
【０００４】
この発明は上記のような課題を解決するためになされたもので、無駄な使用電力を発生させず、また、マイナスイオン発生を好まない利用者に対しては、不快を感じさせないエレベータ装置及びエレベータの運転方法を得ることを目的とする。
【０００５】
【課題を解決するための手段】
この発明におけるエレベータ装置は、エレベータのかご内にマイナスイオンを放出するマイナスイオン発生手段を備えたマイナスイオン発生手段設置かごと、エレベータの運行を制御する制御手段とを設け、制御手段は、マイナスイオン放出を所定時間において作動させるかご内マイナスイオン発生時間制御手段を設けたものである。
【０００６】
また、かご内マイナスイオン発生時間制御手段は、かご呼びに基づいて前記マイナスイオン放出を所定時間において作動させるものである。
【０００７】
また、かご内マイナスイオン発生時間制御手段は、乗場呼びに基づいて前記マイナスイオン放出を所定時間において作動させるものである。
【０００８】
また、エレベータのかご内にマイナスイオンを放出するマイナスイオン発生手段を備えた一または複数のマイナスイオン発生手段設置かごと、マイナスイオン発生手段を設置しない一または複数のマイナスイオン発生手段無設置かごと、エレベータの乗場に備えられてマイナスイオン発生手段設置かごによるサービスを指示するマイナスイオン発生手段設置かご指示手段とを設け、制御手段は、マイナスイオン発生手段設置かごによるサービスの指示に基づいてマイナスイオン発生手段設置かごをサービスさせるマイナスイオン発生手段設置かごサービス手段を設けたものである。
【０００９】
また、制御手段は、かご呼び及び乗場呼びを登録する呼び登録手段と、呼び登録手段に登録された全ての階へのかごのサービスが完了した事を判定する全サービス完了判定手段とを設け、所定時間は、全サービス完了判定によって終了としたものである。
【００１０】
また、制御手段は、かご呼び及び乗場呼びを登録する呼び登録手段と、呼び登録手段に登録された全ての階へのかごのサービスが完了した事を判定する全サービス完了判定手段とを設け、所定時間は、全サービス完了判定から第２所定時間経過によって終了としたものである。
【００１１】
また、マイナスイオン発生手段設置かごの移動速度の低下を指示するかご速度低下指示手段を前記マイナスイオン発生手段設置かご内に設け、制御手段は、所定時間以内において発生する前記移動速度の低下指示に基づいてマイナスイオン発生手段設置かごの移動速度を低下させて運転するかご速度低下制御手段を設けたものである。
【００１２】
また、マイナスイオン発生手段設置かご内にマイナスイオン放出の停止を指示するかご内マイナスイオン不要指示手段を備え、かご内マイナスイオン発生時間制御手段は、マイナスイオン放出の停止指示に基づいて所定時間以内にあるマイナスイオン放出を第３所定時間において停止させるものである。
【００１３】
また、制御手段は、かご呼び及び乗場呼びを登録する呼び登録手段と、呼び登録手段に登録された全ての階へのかごのサービスが完了した事を判定する全サービス完了判定手段とを設け、第３所定時間は、全サービス完了判定によって終了としたものである。
【００１４】
また、制御手段は、かご呼び及び乗場呼びを登録する呼び登録手段と、呼び登録手段に登録された全ての階へのかごのサービスが完了した事を判定する全サービス完了判定手段とを設け、第３所定時間は、全サービス完了判定から第２所定時間経過によって終了としたものである。
【００１５】
また、制御手段は、かご呼び及び乗場呼びを登録する呼び登録手段と、呼び登録手段に登録された全ての階へのかごのサービスが完了した事を判定する全サービス完了判定手段とを設け、かご内マイナスイオン不要指示手段によるマイナスイオン放出の停止指示から第３所定時間経過又は全サービス完了判定のいずれか早い発生によって第３所定時間を終了としたものである。
【００１６】
また、この発明におけるエレベータ装置は、エレベータの乗場にマイナスイオンを放出するマイナスイオン発生手段を設けたマイナスイオン発生手段設置乗場と、エレベータの運行を制御する制御手段とを設け、制御手段は、乗場呼びの階にかご到着を検出するかご到着検出手段と、乗場呼びに基づいてマイナスイオンを放出すると共にかご到着検出に基づいてマイナスイオン放出を停止させる乗場マイナスイオン発生時間制御手段とを設けたものである。
【００１７】
また、マイナスイオン発生手段設置乗場にマイナスイオン放出の停止を指示する乗場マイナスイオン不要指示手段を備え、乗場マイナスイオン発生時間制御手段は、マイナスイオン放出の停止指示に基づいてマイナスイオン放出を停止させるものである。
【００１８】
また、この発明におけるエレベータの運転方法は、エレベータのかご内にマイナスイオンを放出するマイナスイオン発生手段を備えたエレベータの運転方法において、かごの運転期間中はマイナスイオンを放出させ、運転期間が終了した時は前記マイナスイオン放出を停止させるである。
【００１９】
また、マイナスイオン発生手段設置かごの前記運転期間は、乗場呼びの発生から、かご呼び及び乗場呼びに対する全てのサービスが完了するまでの期間とするものである。
【００２０】
また、マイナスイオン発生手段設置かご内にマイナスイオン放出の停止を指示するかご内マイナスイオン不要指示手段を備え、マイナスイオン放出の停止指示が発生した時は、運転期間中にあるマイナスイオン放出を停止させるものである。
【００２１】
また、この発明におけるエレベータの運転方法は、エレベータの乗場にマイナスイオンを放出するマイナスイオン発生手段を備えたエレベータの運転方法において、乗場呼びの発生から、かごが到着するまではマイナスイオンを放出させ、かごが到着した時はマイナスイオン放出を停止させるものである。
【００２２】
【発明の実施の形態】
実施の形態１．
図１は、本発明の実施の形態１のエレベータ装置の構成を示すブロック図である。図において、１はマイナスイオンを発生すると共にこのマイナスイオンを含む気体をエレベータのかごの内部に送るマイナスイオン発生手段としてのマイナスイオン発生器、２はマイナスイオン発生器１をかごに設けたマイナスイオン発生手段設置かご（以下、マイナスイオンかご）、３はマイナスイオンかご２内に設けられてかご呼びを指示するかご呼び指示手段としてのかご行先ボタン、４はエレベータの乗場に設けられて乗場呼びを指示する乗場呼び指示手段としての乗場ボタン、５はエレベータの運行を制御する制御手段、６はマイナスイオンかご２内に設けられてマイナスイオン発生器１によるマイナスイオン発生の停止を指示するかご内マイナスイオン不要指示手段としてのかご内マイナスイオン不要ボタンである。
【００２３】
また、７はマイナスイオンかご２を吊り下げるロープ、８はロープ７に吊り下げられてマイナスイオンかご２の重量との釣合をとるための釣合重り、９はロープ７を操作してマイナスイオンかご２を昇降させる巻上機、１０は巻上機９を駆動する巻上機駆動装置、１１はマイナスイオン発生器１の動作時間を制御するかご内マイナスイオン発生時間制御手段、１２は行先ボタン３又は乗場ボタン４で指示された階をマイナスイオンかご２のサービス階として記憶すると共に、サービス完了後は記憶を消去する呼び登録手段、１３は呼び登録手段１２に記憶されたサービス階が無い時にマイナスイオンかご２の全サービス完了と判定する全サービス完了判定手段である。
【００２４】
ここで、制御手段５は演算機能を有するＣＰＵと、制御プログラムを記憶するＲＯＭと、処理データを一時的に記憶するＲＡＭと、制御手段５に接続される機器とのインタフェース処理を行うＩ／Ｏ装置と、を主として構成され、又、制御手段５内に形成される各機能を有する手段は上記ＲＯＭに記憶された制御プログラムによって達成されるものである。制御手段５を上記に構成すること、及び上記ＲＯＭに記憶された制御プログラムによって各種の機能を有する手段が制御手段５内に達成されることは当業者において周知技術とされるものである。
【００２５】
次にフローチャート図を用いて、動作について説明する。
図２は、実施の形態１のエレベータ装置の動作を示すフローチャート図である。このフローチャート図に従って動作を説明する。
まず、呼び登録手段１２は、乗場ボタン４からの乗場呼びの信号又は行先ボタン３からのかご呼びの信号を受けて、マイナスイオンかご２のサービス階として登録し、記憶する（ステップＳ１）。次に、制御手段５は巻上機駆動回路１０を作動させて巻上機９を操作し、呼び登録手段１２で登録されたサービス階へマイナスイオンかご２のサービスを開始する（ステップＳ２）。次に、かご内マイナスイオン発生時間制御手段１１は、マイナスイオンかご２に設けられたかご内マイナスイオン不要ボタン６が利用者により操作されたか否かの判定を行う（ステップＳ３）。その結果、かご内マイナスイオン不要ボタン６が操作されていないと判定した時は、かご内マイナスイオン発生時間制御手段１１がマイナスイオン発生器１を操作し、マイナスイオンを発生させる（ステップＳ４）。
【００２６】
ここで、このステップＳ４におけるマイナスイオンの発生は、かご呼びに対してのみ発生させても良いし、かご呼びに加えて乗場呼びに対しても発生させて良い。また、ステップＳ３において、かご内マイナスイオン不要ボタン６が操作された時は、かご内マイナスイオン発生時間制御手段１１が、マイナスイオン発生器１の動作モードをマイナスイオン発生を停止させるモードとしてのかご内マイナスイオン不要モードに固定すると共に、マイナスイオン発生器１を操作し、マイナスイオン発生を停止させる（ステップＳ５）。上記ステップＳ４又はステップＳ５に続いて、かご内マイナスイオン発生時間制御手段１１は、呼び登録手段１２に新たな乗場呼び又は新たなかご呼びが発生したか否かを判定する（ステップＳ６）。
【００２７】
このステップＳ６で、新たな乗場呼び又は新たなかご呼びが発生していないと判定した時は、かご内マイナスイオン発生時間制御手段１１が呼び登録手段１２で登録された全サービスが終了したか否かを判定する（ステップＳ７）。このステップＳ７で、呼び登録手段１２で登録された全サービスが終了したと判定した時は、かご内マイナスイオン発生時間制御手段１１が全サービス終了後、所定時間（例えば、数分程度の短時間が良い）が経過したか否かを判定する（ステップＳ８）。その結果、所定時間経過したと判定した時、かご内マイナスイオン発生時間制御手段１１は、その時にマイナスイオンが発生していた場合、マイナスイオン発生器１を操作し、マイナスイオン発生を停止させ（ステップＳ９）、また、その時にかご内マイナスイオン不要モードに固定されていた場合、かご内マイナスイオン不要モードを解除する（ステップＳ１０）。
【００２８】
また、ステップＳ６において、新たな乗場呼び又は新たなかご呼びが発生していると判定した時は、ステップＳ１に戻ってマイナスイオンかご２のサービス階として新たに登録し、記憶する。また、ステップＳ７において、呼び登録手段１２で登録された全てのサービス階に対するサービスが終了していないと判定した時は、ステップＳ３に戻って、全サービス階に対するサービスが終了するまでサービスを継続する。また、ステップＳ８において、全サービス終了後の経過時間が所定時間に満たないと判定した時は、経過時間に達するまでステップＳ６に戻って、新たなサービス発生待ちを継続する。
【００２９】
なお、ステップ４からステップ９までの時間は所定時間、ステップ８において所定時間経過として示した時間は第２所定時間、ステップ５からステップ１０までの時間は第２所定時間である。
【００３０】
また、上記実施の形態では、全サービス終了後に所定時間経過したか否かの判定（ステップＳ８）を行ったが、これを除いても良い。
【００３１】
以上のように、本発明の実施の形態１のエレベータ装置は、全サービスが終了した後、かご内マイナスイオン発生時間制御手段１１において、マイナスイオン発生を停止させるようにしたので、無駄な使用電力は発生しないという効果がある。
【００３２】
また、かごにマイナスイオン発生器を設置したマイナスイオンかご２に、かご内マイナスイオン不要ボタン６を設け、これによりマイナスイオン発生を停止できるので、マイナスイオンを好まない利用者に対して不快を感じさせないという効果がある。
【００３３】
また、全サービスが終了し、所定時間の後に、マイナスイオン発生を停止させるようにしたので、全サービスが終了後も所定時間の間、かごの中のマイナスイオン量を多い状態に維持でき、所定時間以内のかご呼び又は乗場呼びを行う利用者は、多くされたマイナスイオンを受けることができるという効果がある。
【００３４】
また、乗場呼びに対してもマイナスイオンかご２にマイナスイオンを発生させるようにしたので、乗場に到着したマイナスイオンかご２の中のマイナスイオン量を多くでき、乗場呼びを行う利用者は、多くされたマイナスイオンを受けることができるという効果がある。
【００３５】
なお、本実施の形態においては、かご内マイナスイオン不要指示手段をかご内マイナスイオン不要ボタンとしたが、これを利用者が携帯する携帯電話や非接触型ＩＣカードなどからマイナスイオン発生を停止させる電波を発信させ、その電波を受ける受信装置をマイナスイオンかご内に設けるように構成しても良く、同様の効果が得られる。
【００３６】
実施の形態２．
図３は、実施の形態２のエレベータ装置の動作を示すフローチャート図である。ここで、エレベータ装置のブロック図は実施の形態１における図１と同様に構成されている。以下に図３のフローチャート図に従って動作を説明する。
【００３７】
ここで、ステップＳ１ａ〜Ｓ１０ａの動作は実施の形態１における図１のフローチャートのステップＳ１〜Ｓ１０と同様に動作する。実施の形態２のエレベータ装置では、上記ステップＳ１ａ〜Ｓ１０ａに以下の動作を加える。まず、ステップＳ５ａにおいて、かご内マイナスイオン発生時間制御手段１１が、マイナスイオン発生器１を操作し、マイナスイオン発生を停止させた後、所定時間（例えば、マイナスイオン発生器１を操作した乗客へのサービス時間相当の３０秒程度の短時間が良い）が経過したか否かを判定する（ステップＳ２１）。その結果、所定時間経過したと判定した時、かご内マイナスイオン発生時間制御手段１１は、かご内マイナスイオン不要モードを解除する（ステップＳ２２）。また、ステップＳ２１において、マイナスイオン発生を停止させた後の経過時間が所定時間に満たないと判定した時は、経過時間に達するまでステップＳ２２をパスさせる。
【００３８】
なお、ステップ２１において所定時間経過として示した時間は第３所定時間である。
【００３９】
以上のように、本発明の実施の形態２のエレベータ装置は、かご内マイナスイオン不要ボタン６によるマイナスイオン発生の停止時間をかご内マイナスイオン不要ボタン６を操作してからの時間としたので、マイナスイオンを好まない利用者へのかごのサービスが完了した後の短時間後に、マイナスイオンを好む利用者がマイナスイオンを受けることができるという効果がある。
【００４０】
なお、本実施の形態においては、所定時間をかご内マイナスイオン不要ボタン６が操作されてマイナスイオン発生が停止された後の時間としたが、これを所定時間以内にかご内マイナスイオン不要ボタン６が操作された場合は、最後にかご内マイナスイオン不要ボタン６が操作された時からの所定時間となるようにかご内マイナスイオン発生時間制御手段１１を構成しても良く、同様の効果が得られる。
【００４１】
また、本実施の形態においては、マイナスイオン発生が停止された後の所定時間経過した場合にかご内マイナスイオン不要モードを解除するように構成したが、これをエレベータの移動方向が反転した場合にかご内マイナスイオン不要モードを解除するように構成しても良く、同様の効果が得られる。
【００４２】
実施の形態３．
図４は、本発明の実施の形態３のエレベータ装置の構成を示すブロック図である。図において、１４はサービス階へ移動するマイナスイオンかご２の移動速度の低下を指示するかご速度低下指示手段としてマイナスイオンかご２内に設けられたかご速度低下指示ボタン、１５はかご速度低下指示ボタン１４による移動速度低下指示に基づいてマイナスイオンかご２の移動速度を低下させて運転制御するかご速度低下制御手段である。また、５ａはエレベータの運行を制御する制御手段である。この制御手段５ａは実施の形態１における制御手段５と同様に構成され、また同様の動作する。
【００４３】
次にフローチャート図を用いて、動作について説明する。
図５は、実施の形態３のエレベータ装置の動作を示すフローチャート図である。このフローチャート図に従って動作を説明する。
ここで、ステップＳ１ｂ〜Ｓ１０ｂの動作は実施の形態１における図１のフローチャートのステップＳ１〜Ｓ１０と同様に動作する。実施の形態３のエレベータ装置では、上記ステップＳ１ｂ〜Ｓ１０ｂに以下の動作を加える。
【００４４】
まず、ステップＳ４ｂにおいて、かご内マイナスイオン発生時間制御手段１１がマイナスイオン発生器１を操作し、マイナスイオンを発生させた後、かご速度低下制御手段１５においてかご速度低下指示ボタン１４による移動速度低下指示がされたか否かの判定を行う（ステップＳ３１）。その結果、かご速度低下指示ボタン１４による移動速度低下指示がされたと判定した時は、かご速度低下制御手段１５が、マイナスイオンかご２の移動速度のモードを速度を低下させるモードとしてのかご速度低下モードに固定すると共に、マイナスイオンかご２の移動速度を低下させて運転制御する（ステップＳ３２）。
【００４５】
また、ステップＳ５ｂにおいて、かご内マイナスイオン発生時間制御手段１１が、マイナスイオン発生器１を操作し、マイナスイオン発生を停止させた後、かご速度低下での運転中であった場合は、かご速度低下制御手段１５により、かご低速運転及びかご速度低下モードが解除される（ステップＳ３３）。また、ステップＳ１０ｂにおいて、かご内マイナスイオン不要モードが解除された後も同様に、かご速度低下での運転中であった場合は、かご速度低下制御手段１５により、かご低速運転及びかご速度低下モードが解除される（ステップＳ３４）。
【００４６】
以上のように、本発明の実施の形態３のエレベータ装置は、かご速度低下指示ボタン１４による移動速度低下指示によりマイナスイオンかご２の移動速度を低下できるようにしたので、マイナスイオンを好む利用者はマイナスイオン発生を長時間に渡って受けることができるという効果がある。
【００４７】
実施の形態４．
図６は、実施の形態４のエレベータ装置の動作を示すフローチャート図である。ここで、エレベータ装置のブロック図は実施の形態３における図４と同様に構成されている。以下に図６のフローチャート図に従って動作を説明する。
【００４８】
ここで、ステップＳ１ｃ〜Ｓ１０ｃ及びステップＳ３１ａ〜Ｓ３４ａの動作は実施の形態３における図５のフローチャートのステップＳ１ｂ〜Ｓ１０ｂ及びステップＳ３１〜Ｓ３４と同様に動作する。実施の形態４のエレベータ装置では、上記ステップＳ１ｃ〜Ｓ１０ｃ及びステップＳ３１ａ〜Ｓ３４ａに以下の動作を加える。まず、ステップＳ５ｃにおいて、かご内マイナスイオン発生時間制御手段１１が、マイナスイオン発生器１を操作し、マイナスイオン発生を停止させた後、所定時間（例えば、マイナスイオン発生器１を操作した乗客へのサービス時間相当の３０秒程度の短時間が良い）が経過したか否かを判定する（ステップＳ４１）。その結果、所定時間経過したと判定した時、かご内マイナスイオン発生時間制御手段１１は、かご内マイナスイオン不要モードを解除する（ステップＳ４２）。また、ステップＳ４１において、マイナスイオン発生を停止させた後の経過時間が所定時間に満たないと判定した時は、経過時間に達するまでステップＳ４２をパスさせる。
【００４９】
なお、ステップ４１において所定時間経過として示した時間は第３所定時間である。
【００５０】
以上のように、本発明の実施の形態４のエレベータ装置は、かご速度低下指示ボタン１４による移動速度低下指示によりマイナスイオンかご２の移動速度を低下できるようにしたので、マイナスイオンを好む利用者はマイナスイオン発生を長時間に渡って受けることができると共に、かご内マイナスイオン不要ボタン６によるマイナスイオン発生の停止時間をかご内マイナスイオン不要ボタン６を操作してからの時間としたので、マイナスイオンを好まない利用者へのサービス完了後、短時間にマイナスイオン発生することができるという効果がある。
【００５１】
実施の形態５．
図７は、本発明の実施の形態５のエレベータ装置の構成を示すブロック図である。図において、１６はかごにマイナスイオン発生器１を設置していないマイナスイオン発生手段無設置かご（以下、マイナスイオン無かご）、３ａはマイナスイオン無かご１６内に設けられてかご呼びを指示するかご呼び指示手段としてのかご行先ボタン、７ａはマイナスイオン無かご１６を吊り下げるロープ、８ａはロープ７ａに吊り下げられてマイナスイオン無かご１６の重量との釣合をとるための釣合重り、９ａはロープ７ａを操作してマイナスイオン無かご１６を昇降させる巻上機、１０ａは巻上機９ａを駆動する巻上機駆動装置、１７はエレベータの乗場に設けられてマイナスイオンかご２のサービスを指示するマイナスイオン発生手段設置かご指示手段としてのマイナスイオンかご指示ボタン、１８はマイナスイオンかご指示ボタン１７で指示された階にマイナスイオンかご２をサービスするマイナスイオンかごサービス手段である。
【００５２】
また、５ｂはエレベータの運行を制御する制御手段である。この制御手段５ｂは実施の形態１における制御手段５と同様に構成され、また同様の動作すると共に、複数のかごのサービスを可能とする群管理機能を有し、マイナスイオンかご２とマイナスイオン無かご１６とを共に運行制御することができる。
【００５３】
次にフローチャート図を用いて、動作について説明する。
図８は、実施の形態５のエレベータ装置の動作を示すフローチャート図である。このフローチャート図に従って動作を説明する。
まず、呼び登録手段１２は、乗場ボタン４からの乗場呼びの信号受けて、サービス階として登録し、記憶する（ステップＳ５１）。次に、マイナスイオンかごサービス手段１８は、マイナスイオンかご指示ボタン１７が利用者により操作されたか否かの判定を行う（ステップＳ５２）。その結果、マイナスイオンかご指示ボタン１７が操作されたと判定した時は、マイナスイオンかごサービス手段１８がマイナスイオンかご２をサービス用のかごとして選択する（ステップＳ５３）。
【００５４】
ここで、マイナスイオンかご２が複数ある場合は、制御手段５ｂの群管理機能によって、複数のマイナスイオンかご２の中から最適な１台がサービス用のかごとして選択される。次に、制御手段５ｂは巻上機駆動回路１０を作動させて巻上機９を操作し、呼び登録手段１２で登録されたサービス階へマイナスイオンかご２のサービスを開始し（ステップＳ５４）、登録されたサービス階に到着したか否かを判定する（ステップＳ５５）。ステップＳ５５において、登録されたサービス階に到着したと判定した時は、マイナスイオンかごサービス手段１８がマイナスイオンかごの指定を解除し（ステップＳ５６）、マイナスイオンかご２の指定の動作を完了する。
【００５５】
なお、マイナスイオンかご２の指定の動作を完了後は、実施の形態１における図２のフローチャート図と同様に動作する。また、ステップＳ５２において、マイナスイオンかご指示ボタン１７が操作されたと判定されない時は、制御手段５ｂの群管理機能によって、マイナスイオンかご２又はマイナスイオン無かご１６のいずれか最適な方のかごがサービス用のかごとして選択する（ステップＳ５７）。ここで、マイナスイオンかご２及びマイナスイオン無かご１６が複数ある場合も同様に、制御手段５ｂの群管理機能によって、これらの全てのかごの中から最適な１台がサービス用のかごとして選択される。
【００５６】
ステップＳ５７において選択されたかごがマイナスイオン無かご１６の場合、ステップＳ５４において、制御手段５ｂは巻上機駆動回路１０ａを作動させて巻上機９ａを操作し、呼び登録手段１２で登録されたサービス階へマイナスイオン無かご１６のサービスを開始する。そして、マイナスイオン無かご１６が、登録されたサービス階に到着することでマイナスイオン無かご１６の指定の動作を完了する。
【００５７】
以上のように、本発明の実施の形態５のエレベータ装置は、マイナスイオンかご２とマイナスイオン無かご１６とが混在した場合においても、マイナスイオンかご指示ボタン１７によりマイナスイオンかご２のサービスを指示できるので、マイナスイオンを好む利用者へマイナスイオンをサービスできるという効果がある。
【００５８】
なお、本実施の形態において、マイナスイオンかご２の指定の動作を完了後は、実施の形態１における図２のフローチャート図と同様に動作するとしたが、これを、実施の形態２における図３のフローチャート図と同様に動作しても良く、同様の効果が得られる。さらに、マイナスイオンかご２内にかご速度低下指示ボタン１４及び制御手段５ｂにかご速度低下制御手段１５を追加して設け、実施の形態３における図５又は実施の形態４における図６のフローチャート図と同様に動作するようにしても良く、同様の効果が得られる。
【００５９】
実施の形態６．
図９は、本発明の実施の形態６のエレベータ装置の構成を示すブロック図である。図において、１９はマイナスイオンを発生すると共にこのマイナスイオンを含む気体をエレベータの乗場に送るマイナスイオン発生手段としてのマイナスイオン発生器、２０はマイナスイオン発生器１９を有するエレベータ乗場（以下、マイナスイオン発生手段設置乗場）に設けられてマイナスイオン発生器１によるマイナスイオン発生の停止を指示する乗場マイナスイオン不要指示手段としての乗場マイナスイオン不要ボタン、２１はマイナスイオン発生器１９の動作時間を制御する乗場マイナスイオン発生時間制御手段、２２は乗場呼びを行った階にかごが到着したことを検出するかご到着検出手段である。
【００６０】
ここで、かご到着検出手段２２は、巻上機９の回転軸（図示せず）に設けられたパルス発生器（図示せず）及び昇降路（図示せず）に設けられたかご位置検出器（図示せず）からの検出信号を基にしてかごの到着を検出している。また、５ｃはエレベータの運行を制御する制御手段である。この制御手段５ｃは実施の形態１における制御手段５と同様に構成され、また同様の動作する。
【００６１】
次にフローチャート図を用いて、動作について説明する。
図１０は、実施の形態６のエレベータ装置の動作を示すフローチャート図である。このフローチャート図に従って動作を説明する。
まず、呼び登録手段１２は、乗場ボタン４からの乗場呼びの信号受けて、サービス階として登録し、記憶する（ステップＳ６１）。次に、制御手段５は巻上機駆動回路１０を作動させて巻上機９を操作し、呼び登録手段１２で登録されたサービス階へマイナスイオンかご２のサービスを開始する（ステップＳ６２）。次に、乗場マイナスイオン発生時間制御手段２１は、マイナスイオン発生手段設置乗場に設けられた乗場マイナスイオン不要ボタン２０が利用者により操作されたか否かの判定を行う（ステップＳ６３）。その結果、乗場マイナスイオン不要ボタン２０が操作されていないと判定した時は、乗場マイナスイオン発生時間制御手段２１がマイナスイオン発生器１９を操作し、マイナスイオンを発生させる（ステップＳ６４）。
【００６２】
また、ステップＳ６３において、乗場マイナスイオン不要ボタン２０が操作された時は、乗場マイナスイオン発生時間制御手段２１が、マイナスイオン発生器１９の動作モードをマイナスイオン発生を停止させるモードとしての乗場マイナスイオン不要モードに固定すると共に、マイナスイオン発生器１９を操作し、マイナスイオン発生を停止させる（ステップＳ６５）。
【００６３】
上記ステップＳ６４又はステップＳ６５に続いて、かご到着検出手段２２は、呼び登録手段１２で登録されたサービス階にマイナスイオンかご２が到着したか否かを判定する（ステップＳ６６）。このステップＳ６６で、呼び登録手段１２で登録されたサービスに到着したと判定した時は、乗場マイナスイオン発生時間制御手段２１がマイナスイオン発生器１９を操作し、その時にマイナスイオンが発生していた場合、マイナスイオン発生を停止させ（ステップＳ６７）、また、その時に乗場マイナスイオン不要モードに固定されていた場合、乗場マイナスイオン不要モードを解除する（ステップＳ６８）。
【００６４】
以上より乗場呼びにおけるマイナスイオン発生器１９の動作を完了する。なお、このマイナスイオン発生器１９の動作と並行して動作するマイナスイオン発生器１に関しては、実施の形態１における図２のフローチャート図と同様に動作する。
【００６５】
以上のように、本発明の実施の形態６のエレベータ装置は、かご到着後、乗場マイナスイオン発生時間制御手段２１において、マイナスイオン発生を停止させるようにしたので、無駄な使用電力は発生しないという効果がある。
【００６６】
また、乗場にマイナスイオン発生器を設置したマイナスイオン発生手段設置乗場に、乗場マイナスイオン不要ボタン２０を設け、これによりマイナスイオン発生を停止できるので、マイナスイオンを好まない利用者に対して不快を感じさせないという効果がある。
【００６７】
【発明の効果】
この発明におけるエレベータ装置は、全サービスが終了した後、かご内マイナスイオン発生時間制御手段において、マイナスイオン発生を停止させるようにしたので、無駄な使用電力は発生しない。
【００６８】
また、かごにマイナスイオン発生器を設置したマイナスイオンかごに、かご内マイナスイオン不要ボタンを設け、これによりマイナスイオン発生を停止できるので、マイナスイオンを好まない利用者に対して不快を感じさせない。
【００６９】
また、全サービスが終了し、所定時間の後に、マイナスイオン発生を停止させるようにしたので、全サービスが終了後も所定時間の間、かごの中のマイナスイオン量を多い状態に維持でき、所定時間以内のかご呼び又は乗場呼びを行う利用者は、多くされたマイナスイオンを受けることができる。
【００７０】
また、乗場呼びに対してもマイナスイオンかごにマイナスイオンを発生させるようにしたので、乗場に到着したマイナスイオンかごの中のマイナスイオン量を多くでき、乗場呼びを行う利用者は、多くされたマイナスイオンを受けることができる。
【００７１】
また、かご内マイナスイオン不要ボタンによるマイナスイオン発生の停止時間をかご内マイナスイオン不要ボタンを操作してからの時間としたので、マイナスイオンを好まない利用者へのかごのサービスが完了した後の短時間後に、マイナスイオンを好む利用者がマイナスイオンを受けることができる。
【００７２】
また、かご速度低下指示ボタンによる移動速度低下指示によりマイナスイオンかごの移動速度を低下できるようにしたので、マイナスイオンを好む利用者はマイナスイオン発生を長時間に渡って受けることができる。
【００７３】
また、マイナスイオンかご２とマイナスイオン無かごとが混在した場合においても、マイナスイオンかご指示ボタンによりマイナスイオンかごのサービスを指示できるので、マイナスイオンを好む利用者へマイナスイオンをサービスできる。
【００７４】
また、かご到着後、乗場マイナスイオン発生時間制御手段において、マイナスイオン発生を停止させるようにしたので、無駄な使用電力は発生しない。
【００７５】
また、乗場にマイナスイオン発生器を設置したマイナスイオン発生手段設置乗場に、乗場マイナスイオン不要ボタンを設け、これによりマイナスイオン発生を停止できるので、マイナスイオンを好まない利用者に対して不快を感じさせない。
【図面の簡単な説明】
【図１】  本発明の実施の形態１を示すエレベータ装置の構成ブロック図である。
【図２】  本発明の実施の形態１を示すエレベータ装置の動作フローチャート図である。
【図３】  本発明の実施の形態２を示すエレベータ装置の動作フローチャート図である。
【図４】  本発明の実施の形態３を示すエレベータ装置の構成ブロック図である。
【図５】  本発明の実施の形態３を示すエレベータ装置の動作フローチャート図である。
【図６】  本発明の実施の形態４を示すエレベータ装置の動作フローチャート図である。
【図７】  本発明の実施の形態５を示すエレベータ装置の構成ブロック図である。
【図８】  本発明の実施の形態５を示すエレベータ装置の動作フローチャート図である。
【図９】  本発明の実施の形態６を示すエレベータ装置の構成ブロック図である。
【図１０】  本発明の実施の形態６を示すエレベータ装置の動作フローチャート図である。
【符号の説明】
１  マイナスイオン発生器、２  マイナスイオンかご、３  行先ボタン、４  乗場ボタン、５、５ａ〜５ｃ  制御手段、６  かご内マイナスイオン不要ボタン、１１  かご内マイナスイオン発生時間制御手段、１２  呼び登録手段、１３  全サービス完了判定手段、１４  かご速度低下指示ボタン、１５  かご速度低下制御手段、１７  マイナスイオンかご指示ボタン、１８  マイナスイオンかごサービス手段、１９  マイナスイオン発生器、２０  乗場マイナスイオン不要ボタン、２１  乗場マイナスイオン発生時間制御手段、２２  かご到着検出手段
【図１】
0004211279.tif 000002
【図２】
0004211279.tif 000003
【図３】
0004211279.tif 000004
【図４】
0004211279.tif 000005
【図５】
0004211279.tif 000006
【図６】
0004211279.tif 000007
【図７】
0004211279.tif 000008
【図８】
0004211279.tif 000009
【図９】
0004211279.tif 000010
【図１０】
0004211279.tif 000011